(57)【要約】      （修正有） 【課題】同時に四つの異なるメモリカードが挿接でき、かつ回路基板の空間を節約するメモリカードコネクタを提供する。【解決手段】貫通槽１１とピン１３を有する穿穴１２が穿設されピンの一部が、カバー１の一端面に接続し、他の一部が湾曲してカバーの一側に設けられ、このピンにより、回路基板上に電気的に接続するカバーとの間に第１スロットが形成され、第２スロット２２の一端に、パッド２３が設けられ、これにより、回路基板上に電気的に接続する第１ベース２と、他の一端面に配置された仕切り部３２により、第３スロット３３と第４スロット３４が定義され、第３スロットの端面の両側には、それぞれに導通部３３１が設けられ、導通部が湾曲して第３スロットの一端縁に設けられ、また、第４スロットの端面の一側に端子３４１が設けられ、第３スロットの導通部と第４スロットの端子により、回路基板上に電気的に接続する第２ベース３とを有する。【選択図】図２
0003100732.tif 000002
【実用新案登録請求の範囲】
【請求項１】
貫通槽が開設され、該貫通槽の近くに穿穴が開設され、該穿穴には、それぞれにピンが設けられ、該ピンの一部が、カバーの一端面に接続されて、他の一部が湾曲されてカバーの一側に設けられ、該湾曲部にある、カバーの一側に設けられるピンにより、回路基板上に電気的に接続される、カバーと、
上記カバーの一面に配置され、該カバーとの間に第１スロットが形成され、また、第２スロットがあり、該第２スロットの一端に、パッドが設けられ、該パッドが湾曲されて該第２スロットの一端縁に設けられ、該湾曲部にある、第２スロットの一端縁に設けられるパッドにより、回路基板上に電気的に接続される、第１ベースと、
上記第１ベースのもう一端面に配置され、また、仕切り部があり、該仕切り部により、第３スロットと第４スロットが定義され、該第３スロットの端面の両側には、それぞれに導通部が設けられ、該導通部が湾曲されて該第３スロットの一端縁に設けられ、また、第４スロットの端面の一側に端子が設けられ、該端子が湾曲されて該第４スロットの一端縁に設けられ、該第３スロットの導通部と第４スロットの端子により、回路基板上に電気的に接続される、第２ベースと、を有し、
上記の構成により、該メモリカードコネクタには、同時に、四つの異なるメモリカードが挿接でき、共用コネクタの効果が達成され、また、該メモリカードコネクタにより、回路基板の空間を節約できるように構成することを特徴とするメモリカードコネクタの改良構造。
【請求項２】
前記カバー上には、固定穴が設けられ、該第１ベースの端面上には、該カバーの固定穴に対応する凸柱が設けられ、これにより、該カバーと第１ベースとの間に第１スロットが形成される、ことを特徴とする請求項１に記載のメモリカードコネクタの改良構造。
【請求項３】
前記第１ベースのもう一端面には、固定部が設けられ、該第２ベースの端面には、該第１ベースの固定部と対応する接合穴が設けられ、これにより、第１ベースが第２ベース上に固定される、ことを特徴とする請求項１に記載のメモリカードコネクタの改良構造。
【請求項４】
前記第２スロットの両側には、それぞれにガイドレールが設けられる、ことを特徴とする請求項１に記載のメモリカードコネクタの改良構造。
【請求項５】
前記ガイドレール内には、接地片が設けられる、ことを特徴とする請求項4に記載のメモリカードコネクタの改良構造。
【請求項６】
前記第３スロットの両側には、それぞれにガイドレールが設けられる、ことを特徴とする請求項１に記載のメモリカードコネクタの改良構造。
【請求項７】
前記第１スロットには、SMC（Smart Media Card）規格が挿接できる、ことを特徴とする請求項１に記載のメモリカードコネクタの改良構造。
【請求項８】
前記第２スロットには、CF(Compact Flash Card)規格とMD（Micro Drive Card）規格とが挿接できる、ことを特徴とする請求項１に記載のメモリカードコネクタの改良構造。
【請求項９】
前記第３スロットには、MS（Memory Stick）規格とXD（xD Picture Card）規格とが挿接できる、ことを特徴とする請求項１に記載のメモリカードコネクタの改良構造。
【請求項１０】
前記第４スロットには、SD(Secure Digital Memory Card)規格とMMC(Multi Media Card)規格とが挿接できる、ことを特徴とする請求項１に記載のメモリカードコネクタの改良構造。
【考案の詳細な説明】
【技術分野】
【０００１】
本考案は、メモリカードコネクタの改良構造に関し、特に、該メモリカードコネクタには、同時に、四つの異なるメモリカードが挿接でき、共用コネクタの効果が達成できるメモリカードコネクタの改良構造に関する。
【背景技術】
【０００２】
一般の、従来のメモリカード共用座には、例えば、下記特許文献１の「メモリカード共用座」においては、底座と結合する上カバーがあり、該底座及び/或いは上カバーには、メモリカードの接続片に合わせる導通部が設けられ、該底座には、頂面と、第１凹陷部と、第２凹部とが設けられ、該第２凹陷部には、やや狭い區があり、該上カバーには、槽面と、第１増高部と、第２増高部とが設けられ、これにより、共用座内部には、第１収納空間と、第２収納空間と、第３収納空間と、第４収納空間とが形成され、該第１収納空間と、第２収納空間と、第３収納空間と、第４収納空間とには、共用部分が含まれている。
【０００３】
但し、上述する従来の「メモリカード共用座」は、四つの異なるメモリカードが、挿接できる共用座であるが、該「メモリカード共用座」は、同時に、四つの異なるメモリカードが挿接できるではなく、同時に、二つの異なるメモリカードしか挿接できないもので、該「メモリカード共用座」は、ただ、ユーザが「それぞれに」、四つの異なるメモリカードを挿接できる効果しか提供しない、同時に、四つの該メモリカードを挿接することできない共用座であり、空間が無駄になり実用的ではない。
【特許文献１】台湾特許公告第４９５１１０号
【考案の開示】
【考案が解決しようとする課題】
【０００４】
この考案は、同時に四つの異なるメモリカードが挿接でき、共用コネクタの効果が達成できる、メモリカードコネクタを提供することを課題とする。
【０００５】
またこの考案は、回路基板の空間を節約することができる、メモリカードコネクタを提供することを課題とする。
【課題を解決するための手段】
【０００６】
請求項１に記載するメモリカードコネクタの改良構造は、貫通槽が開設され、該貫通槽の近くに穿穴が開設され、該穿穴には、それぞれにピンが設けられ、該ピンの一部が、カバーの一端面に接続されて、他の一部が湾曲されてカバーの一側に設けられ、該湾曲部にある、カバーの一側に設けられるピンにより、回路基板上に電気的に接続される、カバーと、
上記カバーの一面に配置され、該カバーとの間に第１スロットが形成され、また、第２スロットがあり、該第２スロットの一端に、パッドが設けられ、該パッドが湾曲されて該第２スロットの一端縁に設けられ、該湾曲部にある、第２スロットの一端縁に設けられるパッドにより、回路基板上に電気的に接続される、第１ベースと、
上記第１ベースのもう一端面に配置され、また、仕切り部があり、該仕切り部により、第３スロットと第４スロットが定義され、該第３スロットの端面の両側には、それぞれに導通部が設けられ、該導通部が湾曲されて該第３スロットの一端縁に設けられ、また、第４スロットの端面の一側に端子が設けられ、該端子が湾曲されて該第４スロットの一端縁に設けられ、該第３スロットの導通部と第４スロットの端子により、回路基板上に電気的に接続される、第２ベースと、を有し、
上記の構成により、該メモリカードコネクタには、同時に、四つの異なるメモリカードが挿接でき、共用コネクタの効果が達成され、また、該メモリカードコネクタにより、回路基板の空間を節約できるように構成する。
【０００７】
請求項２に記載するメモリカードコネクタの改良構造は、請求項１におけるカバー上に、固定穴が設けられ、該第１ベースの端面上には、該カバーの固定穴に対応する凸柱が設けられ、これにより、該カバーと第１ベースとの間に第１スロットが形成される。
【０００８】
請求項３に記載するメモリカードコネクタの改良構造は、請求項１における該第１ベースのもう一端面には、固定部が設けられ、該第２ベースの端面には、該第１ベースの固定部と対応する接合穴が設けられ、これにより、第１ベースが第２ベース上に固定される。
【０００９】
請求項４に記載するメモリカードコネクタの改良構造は、請求項１における第２スロットの両側には、それぞれにガイドレールが設けられる。
【００１０】
請求項５に記載するメモリカードコネクタの改良構造は、請求項４におけるガイドレール内に接地片が設けられる。
【００１１】
請求項６に記載するメモリカードコネクタの改良構造は、請求項１における第３スロットの両側に、それぞれにガイドレールが設けられる。
【００１２】
請求項７に記載するメモリカードコネクタの改良構造は、請求項１におけ第１スロットにSMC（Smart Media Card）規格が挿接できる。
【００１３】
請求項８に記載するメモリカードコネクタの改良構造は、請求項１における２スロットには、CF(Compact Flash Card)規格とMD（Micro Drive Card）規格とが挿接できる。
【００１４】
請求項９に記載するメモリカードコネクタの改良構造は、請求項１における第３スロットには、MS（Memory Stick）規格とXD（xD Picture Card）規格が挿接できる。
【００１５】
請求項１０に記載するメモリカードコネクタの改良構造は、請求項１における第４スロットには、SD(Secure Digital Memory Card)規格とMMC(Multi Media Card)規格が挿接できる。
【考案の効果】
【００１６】
本考案によれば、同時に四つの異なるメモリカードが挿接でき、共用コネクタの効果が達成できるだけでなく、回路基板の空間を節約することができるメモリカードコネクタを提供することができる。
【考案を実施するための最良の形態】
【００１７】
図１、２、３、及び図４は、本考案の立体外観概念図、本考案の立体分解概念図、本考案の使用状態概念図、及び本考案のもう一つの使用状態概念図である。図のように、本考案は、メモリカードコネクタの改良構造であり、カバー１と、第１ベース２と、第２ベース３とから構成され、該メモリカードコネクタには、同時に、四つの異なるメモリカードが挿接できる機能が提供され、共用コネクタの効果を実現するだけでなく、該メモリカードコネクタにより、回路基板について、空間を節約する目的が達成される。
【００１８】
上記のカバー１は、貫通槽１１が開設され、該貫通槽１１の近くに穿穴１２が開設され、該穿穴１２には、それぞれにピン１３が設けられ、該ピン１３の一部が、カバー１の一端面に接続されて、該ピン１３を半田付けすることがしやすくなり、他の一部が湾曲されてカバー１の一側に設けられ、該湾曲部にある、カバー１の一側に設けられるピン１３により、回路基板４上に電気的に接続され、また、該カバー１上には、固定穴１４が設けられ、該第１ベース２は、上記カバー１の一面に配置され、該カバー１と第１ベース２との間に、第１スロット１５が形成され、該第１スロット１５は、SMCカード５０（Smart Media Card）が挿接できる規格であり、該第１ベース２の端面上には、該カバー１の固定穴１４に対応する、凸柱２１が設けられ、これにより、該カバー１と第１ベース２とが結合して第１スロット１５になり、該第１ベース２上には、第２スロット２２があり、該第２スロット２２の一端には、パッド２３が設けられ、該パッド２３は、湾曲されて該第２スロット２２の一端縁に設けられ、該湾曲部にある、第２スロット２２の一端縁に設けられるパッド２３により、回路基板４上に電気的に接続され、また、該第２スロット２２の両側には、それぞれにガイドレール２２１が設けられ、該ガイドレール２２１内に接地片２４が設けられ、また、該第１ベース２のもう一端面には、固定部２５が設けられ、該第２スロット２２は、CFカード５１(Compact Flash Card)とMDカード５２（Micro Drive Card）が挿接できる規格である。
【００１９】
該第２ベース３は、上記第１ベース２のもう一端面に配置され、該第２ベース３の端面には、該第１ベース２の固定部２５に対応する接合穴３１が設けられ、これにより、第１ベース２が第２ベース３上に固定され、また、該第２ベース３上には、仕切り部３２があり、該仕切り部３２により、第２ベース３には、第３スロット３３と第４スロット３４が定義され、該第３スロット３３の端面の両側には、それぞれに導通部３３１が設けられ、該導通部３３１は、湾曲されて該第３スロット３３の一端縁に設けられ、また、該第３スロット３３の両側には、それぞれにガイドレール３３２が設けられ、第４スロット３４の端面の一側には、端子３４１が設けられ、該端子３４１は、湾曲されて該第４スロット３４の一端縁に設けられ、該第３スロット３３の導通部３３１と第４スロット３４の端子３４１により、回路基板４上に電気的に接続され、該第３スロット３３は、MSカード５３（Memory Stick）とXDカード５４（xD Picture Card）が挿接できる規格であり、また、該第４スロット３４は、SDカード５５(Secure Digital Memory Card)とMMCカード５６(Multi Media Card)が挿接できる規格であり、以上のように、上記の構成により、新しいメモリカードコネクタの構成になる。
【００２０】
ユーザが使用する時、本考案の第１スロット１５には、SMCカード５０（Smart Media Card）を挿接して、また、第２スロット２２には、必要に応じて、CFカード５１(Compact Flash Card)或いはMDカード５２（Micro Drive Card）を挿接し、また、第３スロット３３には、必要に応じて、MSカード５３（Memory Stick）或いはXDカード５４（xD Picture Card）を挿接して、また、第４スロット３４には、必要に応じて、SDカード５５(Secure Digital Memory Card)或いはMMCカード５６(Multi Media Card)を挿接し、これにより、本考案は、七つの異なるメモリカード（図３のように）が適用でき、セブンインワンのメモリカードコネクタである効果が達成できる。
【００２１】
また、本考案によれば、同時に、第１スロット１５にSMCカード５０（Smart Media Card）を、第２スロット２２にCFカード５１(Compact Flash Card)或いはMDカード５２（Micro Drive Card）を、第３スロット３３にMSカード５３（Memory Stick）或いはXDカード５４（xD Picture Card）、第４スロット３４にSDカード５５(Secure Digital Memory Card)或いはMMCカード５６(Multi Media Card)を挿接することができるから、本考案のメモリカードコネクタは、セブンインワンのメモリカードコネクタである効果が達成できることだけでなく、同時に、四つの異なるメモリカードである効果（図４のように）も達成できる。
【図面の簡単な説明】
【００２２】
【図１】本考案の外観を示した説明図である。
【図２】本考案の分解図である。
【図３】本考案の使用態様を示した説明図である。
【図４】本考案の他の使用態様を示した説明図である。
【符号の説明】
【００２３】
１  カバー
１１  貫通槽
１２  穿穴
１３  ピン
１４  固定穴
１５  第１スロット
２  第１ベース
２１  凸柱
２２  第２スロット
２２１ ガイドレール
２３  パッド
２４  接地片
２５  固定部
３  第２ベース
３１  接合穴
３２  仕切り部
３３  第３スロット
３３１   導通部
３３２ ガイドレール
３４  第４スロット
３４１ 端子
４  回路基板
５０  SMCカード
５１  CFカード
５２  MDカード
５３  MSカード
５４  XDカード
５５  SDカード
５６  MMCカード
【図１】
0003100732.tif 000003
【図２】
0003100732.tif 000004
【図３】
0003100732.tif 000005
【図４】
0003100732.tif 000006